(57)【特許請求の範囲】
【請求項１】
新聞などの非機密書類投入コンベアと、箱に密閉された機密関係物品を破砕機でそのまま破砕してなる破砕片を破砕機から排出する排出コンベアとを、プレス機投入コンベアに対して選択的に切り替え連通して、プレス機用のホッパーに投入された前記破砕片または非機密書類をこのプレス機により直方体に圧縮し、線材で束ねることを特徴とする廃棄物処理方法。
【発明の詳細な説明】
【０００１】
【産業上の利用分野】
この発明は廃棄物処理方法に関する。
【０００２】
【従来の技術】
社外秘扱いの重要書類は、金属製のバインダーから外し、各書類を合綴している金属製の針を除去した後で、裁断機に掛けて、原文が読めない程度の細幅な紙片として。大きなビニール袋等に収納して廃棄しているのが現状であり、その廃棄処理に手間が係っている。
【０００３】
【発明が解決しようとする課題】
この発明は、前記バインダーに綴られている機密書類を箱に入れ完全に密閉した状態で、破砕処理を行うことにより、社外秘の機密文書の内容を外部の者に見られること無く処理出来るようにすることを目的とする。
別の目的は、新聞等の非機密書類を破砕処理するラインを共有して、前記機密書類を破砕可能とする。
【０００４】
【課題を解決するための手段】
前記課題を解決するために、本件発明は、新聞などの非機密書類投入コンベアと、箱に密閉された機密関係物品を破砕機でそのまま破砕してなる破砕片を破砕機から排出する排出コンベアとを、プレス機投入コンベアに対して選択的に切り替え連通して、プレス機用のホッパーに投入された前記破砕片または非機密書類をこのプレス機により直方体に圧縮し、線材で束ねることを特徴とする廃棄物処理方法としてある。
【０００５】
【発明の効果】
この発明の効果として、前記バインダーに綴られている機密書類、承認済み図面を箱に入れ完全に密閉した状態で、破砕処理を行うことにより、社外秘の機密文書の内容を外部の者に見られること無く処理出来る。
また、新聞等の非機密書類を破砕処理するラインを共有して、前記機密書類を破砕することができる。
【０００６】
【発明の実施の形態】
実施の形態１
図１において、Ａは廃棄物処理ラインを示すものであり、この廃棄物処理ラインＡは、新聞、雑誌などの非機密書類投入ホッパー１０を上流に有する非機密書類投入コンベア１１を備える。
この非機密書類投入コンベア１１の搬送方向と平面で見て交叉する方向で、機密関係物品の破砕片を排出する排出コンベア１２が配置してある。
前記両者のコンベア１１と１２は共通のプレス機投入コンベア１３に連通しており、この実施の形態においては、排出コンベア１２の排出路の一部に開閉自在な切替ゲート１４が設けてある。
前記プレス機投入コンベア１３の下流端に第２のホッパー１５（プレス機１６用のホッパー）が設けてある。
この第２のホッパー１５内には、電動モータの駆動により回転する回転軸に放射状に設けたチェーン１５ａを有する撹拌機１５ｂが設けてある（図９参照）。
【０００７】
この第２のホッパー１５の下部には、この第２のホッパー１５に投入された破砕済み廃棄物Ｂ２を水平方向で油圧プレス機１６側へ間歇的に搬入するための押圧板１７が油圧シリンダ装置１８により、往復動可能に設けてある。この押圧板１７により第２のホッパー１５の下方から押出された廃棄物Ｂ２を線材で所定ピッチ毎にてん束するてん束機１９が設けてあり、このてん束される以前の破砕済みの廃棄物Ｂ２の塊を断面角形（例えば一辺１ｍの正方形）に圧縮する前記油圧プレス機１６が設けてある。
前記排出コンベア１２の上流側には、破砕機（例えば、図８に示すロータリ型の破砕機）２０が配置してあり、この破砕機２０の投入口に機密関係物品Ｂ１を投入するための機密関係物品投入コンベア２１が設けられている。
騒音防止のため、この破砕機２０の周囲には遮音壁（図示せず）が配置されることが好ましい。
前記破砕機２０は、回転軸線が水平なロータリ型の破砕機であり、前記破砕機２０の回転刃と固定刃２８からなる破砕部に機密関係物品Ｂ１を供給する供給装置２２が配置してある。
前記供給装置２２は油圧シリンダー２３の作動により供給用ホッパー２４内から前記破砕機２０のロータ２０ａに対して進退可能なプッシャー２５から構成されている（図８参照）。
【０００８】
前記破砕機２０における水平な円柱状の前記ロータ２０ａ周面に刃２０ｂを例えばスパイラルカーブに沿って複数個配列して回転刃とし、回転刃の外周を取り囲む筒状のハウジング２６が配置してあり、この各破砕機２０における前記ハウジング２６の下側半円部２６ａには多数の穴２６ｂが穿設され、スクリーン２７として機枠に取り付けてある。このスクリーン２７は目の大きさの異なるものと交換可能としてある。
前記破砕機２０の回転刃と対面し、機密関係物品Ｂ１を切断乃至剪断する固定刃２８が配置してある。
前記ロータ２０ａ周面における各刃２０ｂの取付け箇所には、断面９０度Ｖ字型にロータ２０ａの弦方向でこのロータ２０ａを切除してなる各谷形の刃取付座Ｃが形成され、それぞれ平面紡錘形を呈する。
【０００９】
前記各刃２０ｂは正方形で板状のスロアウエーチップとしてあり、前記刃取付座Ｃの後端寄りにはこの刃取付座Ｃに嵌合する刃ホルダー２０ｃがこのロータ２０ａに対してボルトなどの固定具Ｔにより取外し自在に配置され、この刃ホルダー２０ｃの刃取付面２０ｄは、前記刃２０ｂの正方形と同一の形状としてあり、この刃取付面２０ｄに前記刃１０ｂの正方形の背面２０ｅ２が当接し、この刃２０ｂの一角部がこのロータ２０ａ周面から突出し、この刃２０ｂの底部二辺が前記刃取付座Ｃに接した状態で、前記刃２０ｂは前記刃取付面２０ｄにボルトなどの固定具Ｔにより着脱固定自在に取り付けられ、前記刃２０ｂの前面２０ｅ１側の刃取付座Ｃにはこの刃取付座Ｃに接して、この刃取付座Ｃを埋める栓状ブロック体２０ｆがその背面２０ｇでこのロータ２０ａから突出する部分を残して前記刃２０ｂの前面部分に当接してカバーする状態でこのロータ２０ａに対してボルトなどの固定具Ｔにより着脱自在に配置してある（図４、図５参照）。更にずれ防止用のストッパー２０ｈが前記刃ホルダー２０ｃの後端にその前端が当接した状態で前記ロータ２０ａ周面に形成した前記刃取付座Ｃに着脱自在に取付けてある。この実施の形態では、このストッパー２０ｈは六角孔付きのボルトで構成されている。
【００１０】
前記ホッパー２４内に前記段ボール箱Ｂを所定量投入した後、前記供給装置２２の油圧シリンダー２３を作動して、前記プッシャー２５をロータ２０ａ周面に向けて前進させ、このプッシャー２５の前進に伴い、前記ホッパー２４内の段ボール箱を前記ロータ１０ａの円周面に押し付ける。
この破砕機２０において、このプッシャー２４とロータ２０ａ間に位置する機密関係物品を前記ロータ２０ａの周面から突出した刃２０ｂの一角部である上部三角形領域Ｄ１を形成する２つの刃先縁と一つの頂点でねずみが喰い切るような状態でチップ状に順次切削していく。この際、この上部三角領域Ｄ１以外の刃２０ｂの前面は、前記栓状ブロック体２０ｅで覆われ、また刃２０ｂの背面全体は刃ホルダー２０ｃの刃取付面２０ｄに当接して、切断作用に関与しない。
機密関係物品Ｂ１は前記栓状ブロック体２０ｆの外周面に案内されて固定刃２８側へ落下し、前記刃取付座Ｃの内部には入り込まない。
この切断された破片を更に水平な軸線周りで回転している前記回転刃と固定刃２８との共働作用で更に細かく切断乃至破砕する。
【００１１】
前記ロータ２０ａの周面から突出している刃２０ｂの一角部である三角形領域Ｄ１を形成する２つの刃先縁と一つの頂点が使用により、摩耗した場合には、前記栓状ブロック体２０ｅをロータから取外し、この刃２０ｂを刃ホルダー２０ｃから外し、刃ホルダー２０ｃの前面に対して、刃２０ｂの向きを１８０度変えて、新たな三角形領域Ｄ２を形成する一つの頂点と２つの刃先縁を前記ロータ２０ａ周面から突出した状態で刃２０ｂを刃ホルダー２０ｃに取り付け、栓状ブロック２０ｅを再びロータに取り付ける。この状態で、破砕作業を継続して行なう。またこの刃２０ｂの前面の２つの頂点と４つの刃先縁が摩耗した時は刃２０ｂの表裏を反転し背面２０ｅ２を使用する。この際、この裏面２０ｅ２において使用する２つの三角形領域Ｄ３、Ｄ４は、１８０度位置を異にし、各三角系領域Ｄ３、Ｄ４は、前面２０ｅ１の時と異なる新たな頂点と２つの刃先縁で形成される（図７参照）。この刃２０ｂの全ての刃先縁及び頂点が摩耗したときには、前記チップ止め２０ｈを外し、前記刃ホルダー２０ｃの前面から完全に摩耗した刃２０ｂを取外し、新たなものに交換する。
【００１２】
なお、別の使用法としては、刃２０ｂの前面２０ｅ１における４つの頂点を使用し、全て摩耗した後、刃２０ｂを反転し使用し、８つの頂点全てが摩耗した後に、新たなものに交換する場合もある。
前記ずれ防止用ストッパー２０ｈにより、刃ホルダー２０ｃを刃取付座Ｃに対して所定位置に位置決めし、この状態で刃ホルダー２０ｃを取付座Ｃに適切に取り付け、破砕時に刃ホルダー２０ｃが刃取付座Ｃ上でずれるのをこのストッパー２０ｈで防止し、前記刃２０ｂのロータ２０ａからの突出位置を常に同じ状態に維持する。
又、機密関係物品Ｂ１の種類が異なる場合には、回転刃全体を、すなわち、前記刃２０ｂ刃ホルダー２０ｃ、ストッパー２０ｈ及び栓状ブロック体２０ｆをロータ２０ａから外して、機密関係物品Ｂ１の種類に対応したものと交換する。
この廃棄処理ラインＡにおいて、機密関係物品Ｂ１を処理する場合には、前記切替ゲート１４を閉じて、非機密書類投入ホッパー１０からの非機密書類の投入を一時中止する。
この状態で、ダンボール箱Ｂに密閉された機密関係物品Ｂ１を機密関係物品投入コンベア２１により、破砕機２０に投入し、ダンボール箱Ｂごと、機密書類やバインダーを破砕し、この砕破片Ｂ３を前記排出コンベア１２で、破砕機２０から排出し、切替ゲート１４を通って、プレス機投入コンベア１３を経て、第２のホッパー１５へ投入する。次に油圧シリンダ装置１８を作動し押圧板１７でこの投入された破砕片を前記てん束機１９側へ押出して油圧プレス機１６で断面角形に圧縮し、この圧縮された直方体の破砕片束を所定ピッチで前記てん束機１９でてん束した後搬出する。
この際、第２のホッパー１５内の撹拌機１５ｂは回転しているが、必ずしも回転させる必要はない。不要の場合にはこの撹拌機１５ｂは第２のホッパー５内から引き出し第２のホッパー５外側に待避させておくのが破砕片Ｂ３の落下上支障にならず好ましい。
【００１３】
なお、必要に応じて、プレス機投入コンベア１３の下流部に金属選別機を設けて、破砕片中の金属片を除去することもある。
この廃棄物処理ラインＡにおいて、非機密書類を廃棄処理する時には、前記切替ゲート１４を開放して、排出コンベア１２、破砕機２０の作動を停止する。
この状態で非機密書類を対応するホッパー１０から対応する投入コンベア１１に投入し、塊となってプレス機投入コンベア１３を通って第１のホッパー１５へ投入し、前記回転中の撹拌機１５ｂのチェーン１５ａで非機密書類を小片に細断し、前記油圧シリンダ装置１８の作動により、押圧板１７により所定寸法ずつ押出し、前記同様に圧縮してん束して搬出する。
【００１４】
実施の形態２
実施の形態１と異なる構成は、開閉自在な切替ゲート１４が非機密書類投入コンベア側１１に設け、機密物品排出コンベア１２が常時プレス機投入コンベア１３に連通していることであり、その他は実施の形態１と同一である。
この場合には、非機密書類投入コンベア１１側の切替ゲート１４を閉じている時には前記排出コンベア１２を停止し、破砕機２０を停止し、非機密書類のみを非機密書類投入コンベア１１、切替ゲート１４を介してプレス機投入コンベア１３を通って第２のホッパー１５へ投入し、回転中の撹拌機１５ｂのチェーン１５ａで破砕する。この切替ゲート１４を開くことで、非機密書類の第２のホッパー１５機への搬入を中止し、破砕機２０の作動によりダンボール箱Ｂごと破砕された機密関係物品Ｂ１の破砕片Ｂ３を前記排出コンベア１２、プレス機投入コンベア１３を通して第２のホッパー１５へ投入する。
【００１５】
実施の形態３
実施の形態１、２と異なる構成は、非機密書類投入コンベア１１と前記排出コンベア１２の交点に開閉自在に切替ゲート１４が設けてあり、この切替ゲート１４の下流にプレス機投入コンベア１３が連なっている。
従って、切替ゲート１４を前記排出コンベア１２側に接続した場合には、機密関係物品Ｂ１の破砕片のみがプレス機投入コンベア１３を通ってプレス機１６用のホッパー１５に投入され、プレス機１６で直方体に圧縮されてん束機１９でてん束される。
またこの切替ゲート１４が非機密書類投入コンベア１１側に接続した場合には、非機密書類のみがプレス機投入コンベア１３、プレス機１６用の第２のホッパー１５へ投入され、前記撹拌機１５ｂの回転中のチェーン１５ａにより破砕され、直方体にプレス機１６で圧縮され、てん束機１９でてん束される。
【００１６】
【実施例】
１）破砕機
株式会社プラコー製  ＭＳ１５００型破砕機、破砕片の大きさ１５メッシュ２）廃棄物
ａ）バイダーに綴られた大きさＡ４版で厚さ３０ｃｍの社外秘書類、承認済みの図面
ｂ）ａ）の機密書類を複数冊、積み重ねて密閉収納したダンボール箱
３）プレス機
株式会社昭和製  ＳＷ７７０型油プレス機
４）結果
１）の破砕機で２）のダンボール箱を破砕した結果得られた破砕片は、原文の文字、承認済み図面の内容、その捺印が判読不能な状態であった。
３）のプレス機で破砕片を断面四角形（一辺の長さ約１ｍ）でその長手寸法が約１．８ｍの直方体の塊りに圧縮してん束した後においても、社外秘書類の文章、承認済み図面の内容、その捺印を判読できない状態であった。
３）のプレス機へのホッパー内に回転チェーンを有する撹拌機を設けたものにおいては、１）の破砕機で破砕した破砕片を更に細く裁断し、その機密書類の機密性を撹拌機の併用により良好に維持できた。
プレス機投入コンベアの下流に設けた金属判別機により、破砕片の金属片を吸着除去し、金属片を含まない破砕片を直方体の塊に圧縮でき、後処理が容易であった。
実施形態１における破砕機２０においては、前記ロータ２０ａ周面から三角形状に突出している前記刃２０ｂの一つ角部とこれに連なる稜線の２つの刃先縁により、機密関係物品Ｂ１を削り破砕片とし、使用により刃２０ｂが摩耗した場合には、栓状ブロツク体２０ｅをロータ２０ａから取外し、更に刃ホルダー２０ｃから前記刃２０ｂを外し、刃ホルダー２０ｃの刃取付面２０ｄに対して、９０度の整数倍、その中心軸線周りに刃２０ｂの向きを変えて、新たな一つの頂点とこれに連なる２つの刃先縁を前記ロータ２０ａ周面から突出し、再び前記刃２０ｂ及栓状ブロツク体２０ｅを元の状態に固定すると、前記刃２０ｂの切れ味が新しくなり、破砕作業を継続して行なうことが出来、前記刃２０ｂの前面２０ｅ１の頂点が全て摩耗した場合には前記刃２０ｂを刃ホルダー２０ｃの刃取付面２０ｄから外し、その表裏を反転して使用でき、前記刃２０ｂの少なくとも４つの頂点が摩耗したときには、前記栓状ブロツク体２０ｅをロータ２０ａから取外し、更に刃ホルダー２０ｃから前記摩耗した刃２０ｂを外し、新たなものに交換することが出来る。従って、１つの刃２０ｂを少なくとも４個の角が全て摩耗するまで使用出来、１つの刃２０ｂの寿命を長くすることができる。
【００１７】
前記のように刃取付座Ｃをロータ２０ａの弦方向に形成することで、刃取付座Ｃの両端は開放した形状となり、ロータ２０ａ周面への刃ホルダー２０ｃの取付けにより刃２０ｂのロータ２０ａ周面に対する位置決めを容易に行なうことができるとともに、この刃取付座Ｃのロータ２０ａへの機械加工も容易となり、この刃取付座Ｃの前方部分を前記栓状ブロック体２０ｆで埋めるように覆うことにより、使用時に機密関係物品Ｂ１がこの刃取付座Ｃ中に侵入せず、機密関係物品Ｂ１の切削抵抗を確実に軽減できる。
前記ずれ防止用のストッパー２０ｈにより、前記刃ホルダー２０ｃが使用時に刃取付座Ｃ上でずれるのを未然に防止するとともに、刃取付座に対して所定の位置に刃ホルダー２０ｃを位置決めできる。
又、機密関係物品の種類が異なる場合には、回転刃全体を、すなわち、前記刃２０ｂ、刃ホルダー２０ｃ、ストッパー２０ｈ及び栓状ブロック体２０ｆをロータ２０ａから外して、機密関係物品の種類に対応したものと交換することが出来る。
【図面の簡単な説明】
【図１】廃棄物処理方法の概略を示す実施の形態１のブロック図である。
【図２】実施の形態２の図１同様のブロック図である。
【図３】実施の形態３の図１同様のブロック図である。
【図４】実施の形態１におけるロータの一部分の概略斜視図である。
【図５】図４の分解斜視図である。
【図６】刃部分の分解斜視図である。
【図７】刃の背面の利用状態を示す正面図である。
【図８】この破砕機の概略正面図である。
【図９】このプレス機用のホッパー部分の概略縦断面図である。
【符号の説明】
１１    非機密書類投入コンベア
１２    排出コンベア
１３    プレス機投入コンベア
１４    切替ゲート
１６    プレス機
１９    てん束機
２０    破砕機
【図１】
0003965788.tif 000002
【図２】
0003965788.tif 000003
【図３】
0003965788.tif 000004
【図４】
0003965788.tif 000005
【図５】
0003965788.tif 000006
【図６】
0003965788.tif 000007
【図７】
0003965788.tif 000008
【図８】
0003965788.tif 000009
【図９】
0003965788.tif 000010